(57)【要約】【課題】照明器具の照度を段階的に下げるべく、いわゆる「順送り信号」を規定の時間毎にリモコン送信機より送信し、就寝者に消灯時刻の訪れを認識させるとともに、セットされた消灯時刻に「消灯信号」を発信させ、消灯を行うものとする技術につき、確実に自動消灯を行わせるものとする。【解決手段】セットされた照明消灯時刻の所定時間前に、順送り信号を１回送信し、照明状態を調光状態とし、セットされた照明消灯時刻に、消灯信号を複数回送信し、照明状態を消灯状態とすべく構成される。【選択図】図１０
2005322475.tif 000002
【特許請求の範囲】
【請求項１】
照明器具のリモコン送信機であって、
所定の照明動作を行うための命令がなされた場合に、当該照明動作を行うための照明動作信号を複数回送信することとした、照明器具のリモコン送信機。
【請求項２】
照明状態を順繰りに変更するための命令がされた場合に、順送り信号が１回送信され、
照明状態を消灯状態に変更するための命令がされた場合に、消灯信号が複数回送信されるべく構成される、
ことを特徴とする、請求項１に記載の照明器具のリモコン送信機。
【請求項３】
セットされた照明消灯時刻の所定時間前に、順送り信号を１回送信し、照明状態を調光状態とし、
セットされた照明消灯時刻に、消灯信号を複数回送信し、照明状態を消灯状態とすべく構成される、
ことを特徴とする、請求項１又は請求項２に記載の照明器具のリモコン送信機。
【請求項４】
前記リモコン送信機は、設置式に構成される、
ことを特徴とする、請求項１乃至請求項３のいずれか一項に記載の照明器具のリモコン送信機。
【請求項５】
前記リモコン送信機は、片手に保持して握持して操作される形態とする、
ことを特徴とする、請求項１乃至請求項３のいずれか一項に記載の照明器具のリモコン送信機。
【請求項６】
他の照明器具を操作するための他のリモコン送信機の照明動作信号を、記憶可能とするとともに、送信可能に構成した、
ことを特徴とする、請求項１乃至請求項５のいずれか一項に記載の照明器具のリモコン送信機。
【発明の詳細な説明】
【技術分野】
【０００１】
本発明は、照明器具のリモコン送信機に関するものであり、より詳しくは、リモコン送信機より送信される照明動作信号が、照明器具で確実に受信され、要求される照明動作がより確実に行われるための技術に関するものである。
【背景技術】
【０００２】
従来、照明器具の点灯、調光、消灯等の照明動作をリモコン送信機により遠隔操作可能とする技術は周知のものとなっている（例えば、特許文献１参照。）。
そして、このような照明器具においては、該照明器具に備える受信機にて、前記リモコン送信機より送信される照明動作信号を受信し、要求される照明動作がされるものとされているが、送信のタイミングによっては、前記照明動作信号の波形と、照明器具から発生される光の波形とが干渉し合うことが確認されている。この両者の波形が干渉することになると、照明動作信号の波形が減衰されてしまい、当該照明動作信号が受信機まで到達せず、要求される照明動作が行われない（通信が確立しない）といった不具合が生じていた。
【０００３】
上記の不具合につき、特許文献１においては、いわゆる「光ノイズ」の問題として捉え、照明動作を確実に行うための技術が提案されている。当該技術においては、照明動作信号を適宜変更することにより、リモコン通信の正確さ・信頼性の向上を図ることとしている。
当該特許文献１においては、リモコン送信機より送信される信号の質を変更することについて開示されており、例えば、所定の信号（「信号送信を開始する」という信号）を発信する場合に、リモコン送信機の発光部の発光強度を強くして、当該信号を確実に照明器具に到達させることとする技術について提案がなされている。
【０００４】
他方、上述のリモコン送信機に、いわゆるタイマー機能が付加されたタイマー機能付の照明器具に関する技術も周知のものとなっている（例えば、特許文献２参照。）。
当該特許文献２においては、就寝前に時刻をセットすることで、所定の時刻にリモコン送信機から消灯信号が送信され、自動消灯させることについての技術が提案されている。
【０００５】
さらに、上記特許文献２に関連し、照明器具の照度を段階的に下げるべく、いわゆる「順送り信号」を規定の時間毎にリモコン送信機より送信し、就寝者に消灯時刻の訪れを認識させるとともに、セットされた消灯時刻に「消灯信号」を発信させ、消灯を行うものとする技術についての提案もなされている。ここで、「順送り信号」とは、一度送信される毎に、全灯→調光→常夜灯→消灯→全灯・・・といった順に照明動作を行わせるための信号である。また、「消灯信号」とは、照明を消灯状態とさせるための信号である。これらの「順送り信号」と「消灯信号」の波形・周波数は、互いに異なるものであり、照明器具側にて、いずれの信号であるかを判断し、順送り動作、又は消灯動作が行われるようにしている。当該技術を、第三の背景技術とする。
当該第三の背景技術では、例えば、リモコン送信機にて、消灯時刻を３０分後にセットすると、２９分経過後に「順送り信号」が１回発信されて全灯から調光状態となり、消灯時刻が近づいたことを知らせ、その１分後に「消灯信号」が送信させて完全に消灯させるといったものである。
これは、例えば、就寝前に読書等をしたい場合に当該技術を利用することにより、就寝者は、消灯前の１分前において寝る準備を開始できることになり、突然消灯されて辺りが真っ暗になってしまうといった不具合を解消できるものである。また、消灯時刻には完全に消灯されるので、消灯時刻になる前に就寝してしまった場合でも、照明が点灯されたままとなってしまうこともないのである。
【０００６】
【特許文献１】特開平１０−１３４９６５号公報
【特許文献２】特開２０００−３４８８７５号公報
【発明の開示】
【発明が解決しようとする課題】
【０００７】
上記の第三の背景技術においては、セットされた消灯時刻に、確実に消灯させる必要がある。この消灯が確実に行われなければ、就寝者にリモコン操作を強いることになってしまうためである。
ところが、上述したように、照明器具からは「光ノイズ」が発生されるため、セットされた消灯時刻に消灯されないといった不具合が発生し得る。
この点、当該第三の背景技術において、特許文献１に開示される技術を採用することも可能であるが、発信される全ての信号につき、リモコン送信機の発光部の発光強度を強くさせるとなると、通信が確立されるタイミングにおいても、無駄に発光強度を強くさせることになり、電力の消耗が激しく、早期の電池交換等が要求されることとなる。
また、「順送り信号」と「消灯信号」とを組み合わせて実現される上記第三の背景技術においては、「順送り信号」についての通信確立がされない場合であったとしても、「消灯信号」についての通信確立は確実に行わせ、自動消灯させる必要があるといえる。
【課題を解決するための手段】
【０００８】
本発明の解決しようとする課題は以上の如くであり、次にこの課題を解決するための手段を説明する。
【０００９】
即ち、請求項１においては、照明器具のリモコン送信機であって、所定の照明動作を行うための命令がなされた場合に、当該照明動作を行うための照明動作信号を複数回送信することとしたものである。
【００１０】
請求項２においては、照明状態を順繰りに変更するための命令がされた場合に、順送り信号が１回送信され、照明状態を消灯状態に変更するための命令がされた場合に、消灯信号が複数回送信されるべく構成されるものである。
【００１１】
請求項３においては、セットされた照明消灯時刻の所定時間前に、順送り信号を１回送信し、照明状態を調光状態とし、セットされた照明消灯時刻に、消灯信号を複数回送信し、照明状態を消灯状態とすべく構成されるものである。
【００１２】
請求項４においては、前記リモコン送信機は、設置式に構成されるものである。
【００１３】
請求項５においては、前記リモコン送信機は、片手に保持して握持して操作される形態とするものである。
【００１４】
請求項６においては、他の照明器具を操作するための他のリモコン送信機の照明動作信号を、記憶可能とするとともに、送信可能に構成したものである。
【発明の効果】
【００１５】
本発明の効果として、以下に示すような効果を奏する。
【００１６】
請求項１においては、所定の照明動作を確実に実行させることができる。
【００１７】
請求項２においては、照明状態を確実に消灯状態とすることができる。また、順送り信号については、１回の送信のみであるため、電池寿命の長期化等のメリットが得られる。
【００１８】
請求項３においては、例えば、照明消灯時刻の１分前においては、「順送り信号」が１回送信されることにより、全灯状態から調光状態となり、消灯時刻が近づいたことを知らせることができるようになる。これにより、就寝者は、消灯の１分前において寝る準備を開始できることになる。
そして、その１分後には、「消灯信号」が３回送信されることになり、例えば、１回目の送信で通信が確立しない場合においても、２回目の送信で通信を確立させることができ、照明を確実に消灯させることができる。
また、これらの照明動作信号の送信に際しては、信号の強度を強くすることもしないため、送信回数が増やされるものの、電力消費は少なくて済み、電池交換のサイクル等の長期化を図ることができる。
【００１９】
請求項４においては、使用者がリモコン送信機を保持せずとも、照明点灯時間や照明消灯時間において、照明動作信号を照明器具のリモコン受信部に向けて発信させることができ、照明動作を確実に実行させることができる。
【００２０】
請求項５においては、順送りボタンが操作され、通信が確立しない場合には、再度、順送りボタンを操作することで、使用者の任意により照明状態の変更が可能となる。
他方、消灯信号ボタンが操作される場合には、「消灯信号」が、自動的に複数回送信されることになり、通信確立の確率が向上され、確実に消灯状態に移行させることができ、通信が確立しない場合の煩わしさをなくすことができる。
【００２１】
請求項６においては、異なるリモコン送信機によって操作される各種照明器具を、一つのリモコン送信機によって操作することが可能となり、利便性に優れたものとすることができる。
【発明を実施するための最良の形態】
【００２２】
次に、発明の実施の形態を説明する。
【実施例１】
【００２３】
図１は本発明に係るリモコン送信機にて操作される照明器具のブロック構成図であり、図２は同じく照明器具の側断面図であり、図３は実施例１のリモコン送信機の正面図であり、図４は同じく側面図であり、図５は同じく略平面図であり、図６は同じく後面図であり、図７は同じく斜視図であり、図８はリモコン送信機の構成について示すブロック図であり、図９は照明動作信号の送信回数について示す図であり、図１０は照明動作信号と照明動作の関係を示すタイムチャートを示す図である。
【００２４】
まず、本発明に係るリモコン送信機２０にて操作される照明器具１６について図１を参照しながら説明する。
図１に示すように、照明器具１６においては、例えば、環形蛍光ランプ等の放電灯１１、交流電源と、交流電圧を直流電圧に変換する整流平滑部２２、整流平滑部２２の直流電圧出力を交流の高周波電圧に変換して放電灯１１に供給するインバータ部２３、インバータ部２３を制御するインバータ制御部２５、等が備えられている。
また、リモコン送信機２０からの送信信号（全灯、調光、常夜灯、消灯、順送り命令など。）を受信するリモコン受信部１５と、リモコン受信部１５からの出力を受けてインバータ制御部２５に制御信号を送信する制御部２８、等が備えられている。
また、前記インバータ部２３は、リモコン受信部１５が後述する調光ＵＰ信号を受信した場合に、放電灯１１の出力を徐々に大きくしていくものである。これにより、リモコン送信機２０が調光ＵＰ信号を送信すると、部屋の中が徐々に明るくされる。
【００２５】
そして、図２に示すように、本照明器具１６は、例えば、器具本体１０と、該器具本体１０に装着される環状蛍光ランプ（放電灯）１１・１１と、器具本体１０に装着され環状蛍光ランプ１１・１１を覆うセード１３と、照明器具１６を遠隔制御するリモコン受信部１５等で構成されており、器具本体１０を天井面に直接当接することで取り付けられる天井直付用の照明器具１６に構成されている。
なお、図２では、放電灯１１を環形蛍光ランプとしているが、直管蛍光ランプ等の他の種類の放電灯を用いてもよく、特に限定されるものではない。また照明器具１６は放電灯に限定するものではなく白熱灯等で電圧を制御することにより明るさを変更する構成とすることもできる。
【００２６】
器具本体１０の下面部には、複数の環状蛍光ランプ１１・１１が取り付けられ、該環状蛍光ランプ１１・１１は、セード１３により下方から覆われている。セード１３は下に凸の略球面形状に形成されており、器具本体１０側に固設されるセード固定具１４・１４により器具本体１０に取り付けられている。
【００２７】
また、器具本体１０には、リモコン用ブラケット５１が取り付けられており、該リモコン用ブラケット５１の下面に、前記リモコン受信部１５が装着されている。リモコン受信部１５には受光センサ１７が設けられ、別体のリモコン送信機２０からの光を、該受光センサ１７が受光することで、照明器具１６が遠隔制御される。
【００２８】
次に、リモコン送信機２０について図３乃至図７を用いて説明する。
リモコン送信機２０は、樹脂カバー３８で覆われ、上端部の左右中央部に送信部４９が設けられている。
また、前記送信部４９内には、赤外線の複数種（動作モードが複数ある。）の所定送信信号を送信可能とする、少なくとも２つの送信用発光ダイオード（図示せず。）が配設されている。
また、前記送信部４９の側方には、同じくリモコン送信機２０の上端にスヌーズ・ライトボタン４０が配設されている。
そして、リモコン送信機２０の側部には、アラームスイッチ３９が配設されている。
【００２９】
また、リモコン送信機２０の正面には、左右中央部の上半分側に表示部３１が設けられており、現在の時刻や、アラーム設定時刻や、照明点灯時刻等の設定内容が確認できるようになっている。
そして、表示部３１の下方（リモコン送信機２０の正面の下半分側）には、上から順番に、設定ボタン３２、モード切替ボタン３３及びＣＨ切替ボタン３４、＋ボタン３５及び−ボタン３６、順送りボタン３７が配置されている。
ここで、モード切替ボタン３３、ＣＨ切替ボタン３４、＋ボタン３５、−ボタン３６は、左右方向の長さが設定ボタン３２の略半分に構成されており、モード切替ボタン３３とＣＨ切替ボタン、そして＋ボタン３５と−ボタン３６は隣同士に、且つ同じ高さに並んでいる。
そして、リモコン送信機２０の筐体内に、リモコン送信機２０や表示部３１やボタンやスイッチ等と接続した制御手段（制御部７６）が内蔵されている。
【００３０】
次に、リモコン送信機２０の各種ボタンの機能について説明する。
＜設定ボタン３２＞
リモコン送信機２０の表示部３１は、平常時は時計として機能している。この時計を表示している現在時刻表示モードから、設定ボタン３２を１回押す毎に、各種モードへの切替が行われる。
具体的には、現在時刻設定モードの状態で、設定ボタン３２を３秒以上長押しすることで、現在時刻設定モード（現在時刻が設定できる状態である。）に切替が行われ、その後は１回押す毎に、アラーム時刻設定モード（目覚ましが鳴る時刻を設定する状態。）、照明点灯時刻設定モード（照明を点灯させる時刻を設定する状態。）、照明消灯時刻設定モード（照明を消灯させる時間を設定する状態。）、の順にモードの切替が行われる等である。また、照明消灯時刻設定モードの時に、設定ボタン３２を押すと、もう一度現在時刻設定モードに戻り、現在時刻表示モード以外の時に、５秒以上ボタン操作を行わないと、現在時刻表示モードに戻るものとする等である。
【００３１】
また、アラーム設定時刻は、１又は複数個の設定時刻を記録できるようにしても良い。
また、同様に、照明点灯時刻や照明消灯時刻についても、１又は複数個の設定時刻を記録できるようにしても良い。
そして、この記録の際の操作形態としては、例えば、最初のアラーム時刻設定のためのアラーム時刻設定モードの表示状態において、設定ボタン３２を押すと、次のアラーム時刻設定のためのアラーム時刻設定モードが表示され、さらに、設定ボタン３２を押すと、照明点灯時刻設定のための照明点灯時刻設定モード、照明消灯時刻設定のための照明消灯時刻設定モードといった順に表示される等である。
【００３２】
＜＋ボタン３５及び−ボタン３６＞
また、上記の現在時刻設定モードや、照明点灯時刻設定モードにおいて、各種時刻を設定する場合には、＋ボタン３５及び−ボタン３６が使用される。
＋ボタン３５は、例えば、１回押す毎に時計表示を１分ずつ進ませ、１秒以上長押しするとその後０．５秒間隔で３０分ずつ進ませるものとする。
−ボタン３６は、例えば、１回押す毎に時計表示を１分ずつ戻させ、１秒以上長押しするとその後０．５秒間隔で３０分ずつ戻させるものとする。
【００３３】
＜モード切替ボタン３３＞
モード切替ボタン３３は、照明動作信号を送信するか否かを設定するものである。すなわち、設定ボタン３２によって、照明点灯時刻及び照明消灯時刻を設定しているが、それらの時刻に照明動作信号を送信するか否かをモード切替ボタン３３で決定するわけである。
これによって、照明点灯時刻及び照明消灯時刻を一度設定しておくと、次からはいちいちこれらの時刻を設定する必要はなく、設定した時刻に送信を行うか否かを決めれば良いことになる。
【００３４】
該モード切替ボタン３３は、１回押す毎に、表示部３１のＯＮタイマー及びＯＦＦタイマー表示が切り替わる。具体的には、始めは表示部のＯＮタイマーとＯＦＦタイマーは共に消灯されているが、モード切替ボタン３３を１回押すと、ＯＮタイマーのみが表示され、もう一度押すと、ＯＦＦタイマーのみが表示され、もう一度押すとＯＮタイマーとＯＦＦタイマーの両方が表示され、さらに、もう一度押すとＯＮタイマーとＯＦＦタイマーは共に消灯される等である。
【００３５】
＜順送りボタン３７＞
順送りボタン３７は、１回押される毎に、照明動作信号のうちの順送り信号を送信させるためのものである。
照明器具１６は、順送り信号を１回受信する毎に、全灯→調光→常夜灯→消灯→全灯・・・の順に切り替わるものとしている。
【００３６】
＜ＣＨ切替ボタン３４＞
ＣＨ切替ボタン３４は１回押す毎に、送信信号のチャンネルを切り替えて、照明動作をさせる照明器具を選択するためのものである。このＣＨ切替ボタン３４を利用して、送信信号のチャンネルを切り替えることにより、部屋の中に照明装置が２つある場合であっても、１つのリモコン送信機２０のみを用いて、２つの照明装置を操作することが可能である。
表示部では、ＣＨ切替ボタン３４を１回押す毎に「ＣＨ１」と「ＣＨ２」が交互に表示される。
【００３７】
＜アラームスイッチ３９＞
アラームスイッチ３９は、１回押す毎に、表示部３１のアラームマーク３１ａが点灯したり、消灯したりする。アラームスイッチ３９を１回押して、アラームマーク３１ａが点灯しているときは、アラーム時刻設定モードで設定した時刻に、アラームが鳴り、もう一度アラームスイッチ３９を押して、アラームマーク３１ａが消灯しているときは、アラーム設定時刻に設定した時間になっても、アラームは鳴らない。
これによって、アラーム設定時刻を一度設定しておくと、次からはいちいちアラームを鳴らしたい時刻を設定する必要はなく、すでに設定した時刻にアラームを鳴らすか鳴らさないかを決めれば良いことになる。
【００３８】
＜スヌーズ・ライトボタン４０＞
スヌーズ・ライトボタン４０が押されている間は、バックライト（ＬＥＤ）が点灯され、時刻等が確認できるようになっている。
また、アラームが鳴っているときに、スヌーズ・ライトボタンを１回押すと、バックライトが点灯すると共に、アラームが鳴り止み、５分後に再度アラームが鳴るようになっている。このように、アラームを一度止めてから、時間をおいて再度アラームを鳴らすことで、もう少し眠りたい場合などに寝過ごすことを防止できる。
また、前記アラームと連動して、照明動作を連動させることとしても良い。
なお、スヌーズ・ライトボタン４０を押してから、再度アラームを鳴らすまでの時間は、３分や１０分などでも良く、５分に限定するものではない。
【００３９】
また、リモコン送信機２０の形状については、図４乃至図７に示すごとく構成し、設置式に構成されるものとしている。
即ち、図４に示すごとく、リモコン送信機２０の下部に設置面３８ｂを形成すべく、側面視において、略直角三角形の後部カバー３８ａを具備し、リモコン送信機２０の上部に、送信部４９が配されるとともに、リモコン送信機２０の正面に、時刻等の各種情報を表示する表示部３１が配される構成とするものである。
このように、リモコン送信機２０を設置式に構成されるものとすることで、使用者がリモコン送信機２０を保持せずとも、照明点灯時間や照明消灯時間において、照明動作信号を照明器具１６のリモコン受信部１５に向けて発信させることができ、照明動作を確実に実行させることができるようになる。
また、リモコン送信機２０の正面に、時刻等の各種情報を表示する表示部３１が配されるため、視認性が良好で、時刻等の視認性に優れた構成となる。
【００４０】
また、以上のリモコン送信機２０の構成は、図８に示すごとく構成される。
図８において、７１はプログラム記憶部、７２は時計部、７３はスピーカ等よりなるアラーム発生部、７４は照明動作信号送信部、７５は電源部、３１は表示部であり、これらは、制御部７６に接続されている。
まず、プログラム記憶部７１には、アラーム時刻、照明点灯時刻、照明消灯時刻のそれぞれにつき、個別の値の入力を可能とし、該入力値に基づいて所定の動作、すなわちアラームを発生させたり、照明動作信号を送信させたり、をさせるプログラムが予め記憶されるものである。
また、当該プログラムは、アラーム時刻、照明点灯時刻、照明消灯時刻のそれぞれにつき、１又は複数個の値の入力を可能とすべく構成される。また、当該プログラムは、前記スヌーズ・ライトボタン４０からの入力に応じて、アラーム及び照明のＯＮ・ＯＦＦの繰り返しを行うスヌーズ機能を実効可能とすべく構成される。
また、時計部７２は、いわゆる時計機能を有するものであり、当該時計部７２では時刻をカウントし、当該時刻が前記プログラムによって参照される。
また、アラーム発生部７３は、アラーム音を発生させるアラーム機能を果たすものであり、可変抵抗を備えて、その音量の大小が変更可能に構成される。
また、前記照明動作信号送信部７４は、制御部７６の指令に基づき、「順送り信号」や、「消灯信号」等を生成し、照明動作信号送信機能を果たすものである。尚、「順送り信号」と「消灯信号」の波形・周波数は、互いに異なるものであり、照明器具側にて、いずれの信号であるかを判断し、順送り動作、又は消灯動作が行われるようにしている。
また、表示部３１は、図３に示されるごとくであり、制御部７６の指令に基づき、所定の情報を表示させるものである。
【００４１】
次に、本発明にかかるリモコン送信機２０の照明動作信号の送信方法について説明する。
本発明にかかる照明動作信号の送信方法は、所定の照明動作を行うための命令がなされた場合に、当該照明動作を行うための照明動作信号を複数回送信し、これにより、所定の照明動作を確実に実行させることを特徴とするものであり。
以下では、この照明動作信号の送信方法を、就寝者が照明消灯時刻をセットすると、当該照明消灯時刻の数分前に調光状態となり、その後、照明消灯時刻に自動的に消灯される構成とする、上述した第三の背景技術に適用する例について説明する。
【００４２】
リモコン送信機２０においては、照明消灯時刻のセットが可能とされており、当該照明消灯時刻の所定時間前（例えば、１分前）に、「順送り信号」が送信されて全灯状態から調光状態となり、当該照明消灯時刻になると、「消灯信号」が送信され、調光状態から消灯状態となるべく、前記プログラムが構成されている。
【００４３】
また、当該プログラムにおいては、照明状態を順繰りに変更するための命令がされた場合に、「順送り信号」が１回送信され、照明状態を消灯状態に変更するための命令がされた場合に、「消灯信号」が複数回送信されるべく構成されている。
つまり、セットされた照明消灯時刻の所定時間前に、順送り信号を１回送信し、照明状態を調光状態とし、セットされた照明消灯時刻に、消灯信号を複数回（例えば３回）送信し、照明状態を消灯状態とすべく構成されるものである。
尚、「順送り信号」と「消灯信号」の波形・周波数は、互いに異なるものであり、照明器具側にて、いずれの信号であるかを判断し、順送り動作、又は消灯動作が行われるものである。
【００４４】
このように、照明消灯時刻に消灯を行うための命令がなされた場合に、当該消灯動作を行うための照明動作信号を複数回送信することとするものである。
図９に示す表、及び図１０に示すタイムチャートは、この例における照明動作信号の送信回数と照明動作の関係について示すものであり、照明消灯時刻を３０分後にセットした場合において、照明消灯時刻の１分前においては、「順送り信号」が１回送信され、照明消灯時刻においては、「消灯信号」が３回送信されることについて示している。
【００４５】
以上のようにすることで、照明消灯時刻の１分前においては、「順送り信号」が１回送信されることにより、全灯状態から調光状態となり、消灯時刻が近づいたことを知らせることができるようになる。これにより、就寝者は、消灯前の１分前において寝る準備を開始できることになる。
そして、その１分後には、「消灯信号」が３回送信されることになり、例えば、１回目に送信で通信が確立しない場合においても、２回目の送信で通信を確立させることができ、照明を確実に消灯させることができる。但し、「順送り信号」と「消灯信号」の送信間隔は任意に設定できるようにしている。
また、これらの照明動作信号の送信に際しては、照明動作信号送信部７４において、信号の強度を強くすることもしないため、送信回数が増やされるものの、電力消費は少なくて済み、電池交換のサイクル等の長期化を図ることができる。
【００４６】
尚、上記の例において、「順送り信号」を１回だけ送信することとしているのは、仮に「順送り信号」を複数回送信して、通信が確立してしまった場合に、消灯、さらには、全灯といったように、照明状態が順次切り替ってしまうためであり、このことを避けるためのものである。また、この「順送り信号」に関し、１回の送信によっては通信が確立しない場合もあるが、最終的には、「消灯信号」によって消灯状態とすることができ、消灯時刻になる前に就寝してしまった場合でも、照明が点灯されたままとなってしまうことは回避できることとなる。また、「順送り信号」は、１回の送信のみがされるため、電池寿命の長期化等のメリットが得られる。
また、「消灯信号」の送信回数については、特に限定されるものでなく、適宜プログラムを変更し、部屋の広さや、電池寿命等を加味した送信回数に設定するものであればよい。
【実施例２】
【００４７】
図１１は、実施例２のリモコン送信機２０Ａの構成について示す図である。
本実施例２では、図１１に示すごとく形態のリモコン送信機２０Ａにつき、上記の照明動作信号の送信方法を適用するものであり、リモコン送信機２０Ａの形態を、片手に保持して握持して操作される形態とするものである。
即ち、片手に握持して操作する形態のリモコン送信機２０Ａであって、照明状態を順次切り替えるための「順送り信号」を送信するための順送りボタン２６と、照明状態を消灯にする「消灯信号」を送信するための消灯信号ボタン２７を具備するものであり、前記順送りボタン２６が操作された際には、「順送り信号」が１回送信されるものとし、前記消灯信号ボタン２７が操作された際には、「消灯信号」が複数回（例えば、３回）送信されるものとするものである。
以上の構成によれば、順送りボタン２６が操作され、通信が確立しない場合には、再度、順送りボタン２６を操作することで、使用者の任意により照明状態の変更が可能となる。
他方、消灯信号ボタン２７が操作される場合には、「消灯信号」が、自動的に複数回送信されることになり、通信確立の確率が向上され、確実に消灯状態に移行させることができ、通信が確立しない場合の煩わしさをなくすことができる。
【００４８】
尚、上記の例において、「順送り信号」を１回だけ送信することとしているのは、仮に「順送り信号」を複数回送信して、通信が確立してしまった場合に、消灯、さらには、全灯といったように、照明状態が順次切り替ってしまうためであり、このことを避けるためのものである。
また、上記の各ボタン操作に対応する送信回数の制御は、実施例１と同様、プログラムによって実行されるものとしている。
【実施例３】
【００４９】
本実施例３は、上記実施例１・２のリモコン送信機２０・２０Ａにつき、次のような機能を持たせることとするものである。
即ち、他の照明器具を操作するための他のリモコン送信機の照明動作信号を、当該リモコン送信機２０・２０Ａに記憶させるとともに、当該リモコン送信機２０・２０Ａより送信可能に構成するものである。
より具体的には、図８に示すごとく、当該リモコン送信機２０・２０Ａは、プログラム記憶部７１、照明動作信号送信部７４、リモコン信号受光部７９、を具備し、前記リモコン信号受光部７９にて他のリモコン送信機のリモコン信号を受光し、当該受光したリモコン信号を、プログラム記憶部７１に記憶されたプログラムにて解析するとともに、当該プログラム記憶部７１に記憶することとし、当該解析・記憶されたリモコン信号を前記照明動作信号送信部７４より発信させることにより、前記他のリモコン送信機によって操作される照明器具を、当該リモコン送信機２０・２０Ａによって操作可能に構成するものである。
これは、当該リモコン送信機２０・２０Ａに、いわゆる「記憶リモコン」の機能を、具備させる構成とするものであり、これによれば、異なるリモコン送信機によって操作される各種照明器具を、一つのリモコン送信機２０・２０Ａによって操作することが可能となり、利便性に優れたものとすることができる。
【００５０】
以上の点に関し、従来は、様々なメーカーから照明器具とリモコン送信機が発売されているが、各社で照明動作信号の内容が異なるため、部屋の中に違うメーカーの照明が複数ある場合、それぞれの照明のリモコン送信機を選んだ上で操作しなければならないという問題があった。
そこで、上記の構成とすることで、逐次、他のリモコン送信機の照明動作信号を記憶・送信可能とすることにより、本発明にかかる一つのリモコン送信機２０・２０Ａにて、操作可能とするものである。
尚、上記の構成のほか、前記プログラム記憶部７１に、予め各メーカーが採用する照明動作信号を記憶させておき、メーカーの種別・機種を選択することにより、操作可能な状態にする形態としてもよい。
【図面の簡単な説明】
【００５１】
【図１】本発明に係るリモコン送信機２０にて操作される照明器具１６のブロック構成図。
【図２】同じく照明器具１６の側断面図。
【図３】実施例１のリモコン送信機２０の正面図。
【図４】同じく側面図。
【図５】同じく略平面図。
【図６】同じく後面図。
【図７】同じく斜視図。
【図８】リモコン送信機２０の構成について示すブロック図。
【図９】照明動作信号の送信回数について示す図。
【図１０】照明動作信号と照明動作の関係を示すタイムチャートを示す図。
【図１１】実施例２のリモコン送信機２０Ａの構成について示す図。
【符号の説明】
【００５２】
１１    放電灯
１６    照明器具
２０    リモコン送信機
３１    表示部
３２    設定ボタン
３３    モード切替ボタン
３４    ＣＨ切替ボタン
３５    ＋ボタン
３６    −ボタン
３７    順送りボタン
３９    アラームスイッチ
４０    スヌーズ・ライトボタン
【図１】
2005322475.tif 000003
【図２】
2005322475.tif 000004
【図３】
2005322475.tif 000005
【図４】
2005322475.tif 000006
【図５】
2005322475.tif 000007
【図６】
2005322475.tif 000008
【図７】
2005322475.tif 000009
【図８】
2005322475.tif 000010
【図９】
2005322475.tif 000011
【図１０】
2005322475.tif 000012
【図１１】
2005322475.tif 000013